【手続補正書】
【提出日】平成26年3月20日(2014.3.20)
【手続補正１】
【補正対象書類名】特許請求の範囲
【補正対象項目名】全文
【補正方法】変更
【補正の内容】
【特許請求の範囲】
【請求項１】
オストミーポート（１５０）に連結するように適応された連結器を含み、かつ展開防止要素を含む折畳み式オストミーバッグ（１０２）を備えた、オストミーポート（１５０）の近位開口（１０８）を密閉するための使い捨てキャップ（１００）。
【請求項２】
前記バッグ（１０２）は前記キャップ（１０４）の本体内に収容される、請求項１に記載の使い捨てキャップ（１００）。
【請求項３】
前記キャップ（１００）はその近位側（１０８）の方が遠位側（１１０）より幅広である、請求項１又は２に記載の使い捨てキャップ（１００）。
【請求項４】
前記キャップ（１００）は、前記ポート（１５０）から近位方向に１ｃｍ未満延びるように構成される、請求項１〜３のいずれかに記載の使い捨てキャップ（１００）。
【請求項５】
前記キャップ（１００）は前記ポート（１５０）内に嵌合するように構成される、請求項１〜４のいずれかに記載の使い捨てキャップ（１００）。
【請求項６】
前記キャップ（１００）は、前記ポート（１０００，１１００，１２００）のインターロック機構（１００７，１１０７，１２０７）と連動するように構成される、請求項１〜５のいずれかに記載の使い捨てキャップ（１００）。
【請求項７】
前記バッグ（１０２）は、前記ポート（１５０）内の圧力が閾値を超えたときに展開するように構成される、請求項１〜６のいずれかに記載の使い捨てキャップ（１００）。
【請求項８】
前記バッグ（１０２）は、手動展開用の引張り可能な要素（１２０）を含む、請求項１〜７のいずれかに記載の使い捨てキャップ（１００）。
【請求項９】
前記キャップ（１００）は圧力インジケータ（２１８）を含む、請求項１〜８のいずれかに記載の使い捨てキャップ（１００）。
【請求項１０】
前記キャップ（１００）は検知回路構成を含む、請求項１〜９のいずれかに記載の使い捨てキャップ（１００）。
【請求項１１】
前記キャップ（１００）はフォイルシール（４１８）を含む、請求項１〜１０のいずれかに記載の使い捨てキャップ（１００）。
【請求項１２】
前記キャップ（１００）は、別個に開閉可能なキャップカバー（１１８）を含む、請求項１〜１１のいずれかに記載の使い捨てキャップ（１００）。
【請求項１３】
前記キャップ（１００）は、別個に開けることが可能なキャップカバー（１１８）を含む、請求項１〜１２のいずれかに記載の使い捨てキャップ（１００）。
【請求項１４】
前記キャップ（１００）はスリーブ形本体を有し、前記キャップカバー（１１８）は、前記本体の対向する両側部に嵌合するように構成される、請求項１２に記載の使い捨てキャップ（１００）。
【請求項１５】
前記バッグ（１０２）の展開を可能にするために取り外し可能であり、かつエラストマー材料から形成された取り外し可能なキャップカバー（１１８）を含む、請求項１〜１２のいずれかに記載の使い捨てキャップ（１００）。
【請求項１６】
前記バッグ（１１１２）には伸縮性がある、請求項１〜１５のいずれかに記載の使い捨てキャップ（１１００）。
【請求項１７】
前記バッグ（６０２）は前記キャップ（６００）と一体的に形成される、請求項１〜１６のいずれかに記載の使い捨てキャップ（６００）。
【請求項１８】
前記バッグ（６０２）は前記キャップ（６００）に恒久的に取り付けられる、請求項１〜１７のいずれかに記載の使い捨てキャップ（６００）。
【請求項１９】
前記キャップ（６００）は、前記バッグ（６０２）が充満した後、それを密閉するための封止体（６０３）を含む、請求項１〜１８のいずれかに記載の使い捨てキャップ（６００）。
【請求項２０】
前記キャップ（７００）は、展開後の前記バッグ（７０２）を患者の身体に直接取り付けるための粘着性取付け要素（７１０，７１１，７１２）を含む、請求項１〜１９のいずれかに記載の使い捨てキャップ（７００）。
【請求項２１】
前記バッグ（１０２）は折畳み時の容積が１０ｃｃ未満であり、満杯時には少なくとも３００ｃｃになる、請求項１〜２０のいずれかに記載の使い捨てキャップ（１００）。
【請求項２２】
（ａ）廃物をオストミーポートから排出させる必要があることを決定するステップと、
（ｂ）前記ポートをバッグの外側に開くことなく、前記ポートからバッグを展開させるステップと、
（ｃ）内側に廃物が入った前記バッグを取り外すステップと、
（ｄ）前記ポートを密閉するステップと、
を含む、オストミーポートを使用する方法。
【請求項２３】
バッグを展開させるステップは、前記ポートのキャップのカバーを開けることを含む、請求項２２に記載の方法。
【請求項２４】
前記バッグを取り外すステップは、前記バッグを密閉することを含む、請求項２２に記載の方法。
【請求項２５】
前記バッグを密閉することは、前記キャップのカバーにより密閉することを含む、請求項２４に記載の方法。
【請求項２６】
前記バッグを密閉することは、前記バッグの一部分を狭めることによって密閉することを含む、請求項２４に記載の方法。
【請求項２７】
前記ポートを密閉するステップは、折り畳まれたバッグおよびキャップの一方または両方により密閉することを含む、請求項２４に記載の方法。
【請求項２８】
前記ポートを密閉するステップは、バッグ無しで密閉することを含む、請求項２４に記載の方法。
【請求項２９】
腸管部分からの廃物の流動を行なうためにストーマを介して前記腸管部分内に挿入可能なチューブと、
組織と接触するように構成され、前記チューブを前記ストーマに固定するための保持バルーンと、
を備え、
前記チューブおよび前記保持バルーンが単一構成部品として形成された、使い捨てオストミーポート。
【請求項３０】
前記単一構成部品の一部として形成されたストーマカバーを含む、請求項２９に記載の使い捨てオストミーポート。
【請求項３１】
廃物チューブと、膨張流体によりバルーンを膨張させるために前記バルーンに遠位を接続されかつ膨張弁を含む管腔とを備えた使い捨てオストミーポート。
【請求項３２】
前記チューブは、密閉された近位端を含む、請求項２９〜３１のいずれかに記載の使い捨てオストミーポート。
【請求項３３】
ガス濾過機構を含む、請求項２９〜３２のいずれかに記載の使い捨てオストミーポート。
【請求項３４】
前記チューブは、その近位端に取り付けられたオストミーバッグを含む、請求項２９〜３３のいずれかに記載の使い捨てオストミーポート。
【請求項３５】
前記チューブは、オストミーバッグを取り付けるように構成された近位開口を有する、請求項２９〜３３のいずれかに記載の使い捨てオストミーポート。
【請求項３６】
オストミーポート開口に取り付けるように構成され、かつ前記ポート内の圧力に応答して膨張する少なくとも１つの膨張性要素を備えた、検知キャップ。
【請求項３７】
体内に挿入するように適応され、かつ脱離不能な廃物バッグを含む、オストミーポート。
【請求項３８】
密閉用の封止要素と連結されたオストミーバッグ。
【請求項３９】
前記バッグはオストミーポートに装着するためのリムを有し、前記封止要素は前記リムに嵌合するキャップを含む、請求項３８に記載のオストミーバッグ。
【請求項４０】
前記キャップは前記リムの両側に嵌合するように構成される、請求項３９に記載のオストミーバッグ。
【請求項４１】
前記封止要素は結束具を含む、請求項３８に記載のオストミーバッグ。